(57)【要約】【課題】  補助者の負担軽減のための機構が障害物に干渉することにより、移動補助具が使用できない場合には補助具の使用が制限され、負担軽減の実効性が低下することがある。また、補助者の負担軽減のための機構が、逆に補助者の負担を強いることがある。【解決手段】移動補助具の座が複数に分割され、分割された座はそれぞれ独立に、被補助者の正面中央部から膝の向きに対して斜めの角度で、腿あるいは腿の付け根の下に向けて水平に滑り込むように伸縮し、座の伸縮において座が互いに干渉することを避けるために座は振り下ろして垂直に収納されるものとした。これにより、移動補助具が障害物により使用できなくなることを少なくし、被補助者及び補助者の負担の軽減を図ることができる。【選択図】図１
2005160986.tif 000002
【特許請求の範囲】
【請求項１】
被補助者が乗り降りする移動補助具の座が複数に分割され、分割された座はそれぞれ独立に移動補助具本体から被補助者に向けて水平に伸縮する機構を持ち、座の伸縮は被補助者の正面側から被補助者に向けてなされ、座の伸縮は被補助者の正面中央部から膝の向きに対して斜めの角度をもち、座はその伸縮により被補助者の腿あるいは腿の付け根の下に滑り込む動作をなし、座の伸縮において座が互いに干渉することを避けるために座は振り下ろして垂直に収納され、移動補助者を乗せた座を機械的な力により上げ下ろして、被補助者の起立、着座、移動を補助するようにした移動補助具。
【発明の詳細な説明】
【技術分野】
【０００１】  本発明はすわっている人を別の場所に移動させるための補助具に関する。
【背景技術】
【０００２】  すわっている状態から自力で立ち上がり移動することに困難を有する被補助者の体重を支えることは補助者にとって負担である。そこで、補助者の負担の軽減及び被補助者の生活領域を広げるために移動補助具が用いられる。【０００３】  ところが、移動補助具を用いる場合であっても、被補助者を移動補助具に乗せる必要があるため、やはり補助者の負担が生じる。そこで、被補助者を移動補助具に乗せる際の補助者の負担を軽減する工夫が移動補助具になされる。
具体的には、被補助者の腰の下に座を滑り込ませることにより、被補助者の体を浮かせることなく乗り移れる方法が考えられている。それには被補助者の左右側面から、あるいは正面から座を滑り込ませる方法がある。
【発明の開示】
【発明が解決しようとする課題】
【０００４】  補助者に大きな負担をかけることなく被補助者を移動補助具に乗せるために、座を被補助者の左右の側面から滑り込ませる場合には、被補助者の側面に座を入れたり抜いたりするための空間が必要となる。そのため、車椅子のように被補助者の両側面がふさがれている場合においては使用できない。
補助具の使用が制限されれば、補助者の負担軽減の実効性は低いものとなる。【０００５】  座を被補助者の正面から滑り込ませる場合であれば、被補助者の両側面がふさがれていても問題とならないが、膝との干渉を避けるため、膝を大きく広げたり、あるいは膝下の足を大きく持ち上げて座をまたぐ必要がある。それは、補助者の負担軽減を考慮するあまり、逆に被補助者に負担を強いることとなる。【０００６】  本発明は、被補助者が移動補助具に乗り降りする際の被補助者及び補助者の負担の軽い仕組でありながら、移動補助具の機構が周囲の障害物との干渉により使用できなくなることの少ない移動補助具を提供することを目的とする。
【課題を解決するための手段】
【０００７】  本発明は、被補助者が乗り降りする移動補助具の座が複数に分割され、分割された座はそれぞれ独立に移動補助具本体から被補助者に向けて水平に伸縮する機構を持ち、座の伸縮は被補助者の正面側から被補助者に向けてなされ、座の伸縮は被補助者の正面中央部から膝の向きに対して斜めの角度をもち、座はその伸縮により被補助者の腿あるいは腿の付け根の下に滑り込む動作をなし、座の伸縮において座が互いに干渉することを避けるために座は振り下ろして垂直に収納され、移動補助者を乗せた座を機械的な力により上げ下ろして、被補助者の起立、着座、移動を補助することを特徴とする。
【発明の効果】
【０００８】  被補助者が乗り降りする移動補助具の座は被補助者の正面中央部から膝の向きに対して斜めの角度を持ち、被補助者の腿あるいは腿の付け根の下に滑り込むように伸縮する機構をもつことにより、移動補助具の座の機構の領域を概ね被補助者の腰の幅より少し広く、背中より少し後ろから正面にかけての範囲に抑えることができる。
一般的に移動元あるいは移動先の被補助者のすわる部分及びその正面には、すわる動作のために必要な空間として障害物はない。移動補助具の座の機構をそのような空間に収めることにより移動補助具が障害物に干渉することを少なくすることができる。
具体的には、ベッドの端にすわっている場合のみならず、車椅子のように被補助者の両側面がふさがれているため側面側から被補助者をすくい上げることができない場合、あるいはトイレの狭い室内で洋式便器の後ろ側に水タンクがある場合であってもそれら障害物に干渉することなく移動補助具を使用することができる。【０００９】  移動補助具の座は分割され膝の向きに対して斜めの角度を持ち、被補助者の腿あるいは腿の付け根の下に滑り込むように伸縮する機構をもつことにより、被補助者はすわったままの姿勢で腿及び腰を片方ずつ少し浮かせるだけで座に乗り降りすることができる。それにより、分割されていない一枚の大きな座を想定した場合及び正面から被補助者にまっすぐの角度で伸縮する座を想定した場合と比較して、座を腰の下に滑り込ませるために膝を大きく広げたり、あるいは膝下の足を大きく持ち上げて座をまたぐ必要がない。
そのため、被補助者は正面に位置する移動補助具の座に乗り降りする方式でありながら、被補助者に無理な姿勢を強いることなく、補助者にも大きな負担をかけないで移動補助具に乗り降りすることができる。【００１０】  移動補助具の座は振り下ろして垂直に収納することができることにより、座の伸縮における互いの干渉を避けることができる。そのため、座が被補助者の正面中央から膝の向きに対して斜めの角度で伸縮する方式でありながら、それぞれ独立に伸縮することを可能とする。【００１１】  以上より、障害物による移動補助具の使用制限の減少及び移動補助具の使用における被補助者及び補助者の負担の軽減の両面を考慮した移動補助具の提供は、被補助者の生活領域の制限を少なくし、補助者の負担軽減の実効性を高いものとすることができる。
【発明を実施するための最良の形態】
【００１２】  以下において、本発明の実施の形態を図１から図３に基づいて説明する。【００１３】  図２に示すように、被補助者を乗せるための座３を移動補助具の柱２に対し伸縮自在となるように、左右に二つ設ける。
ここで座３を伸ばすとは座３を被補助者に近い位置に動かすことであり、座３を縮めるとは座３を被補助者に遠い位置に動かすことを意味するものとする。
座３が伸びた状態においては、図１に示すように、柱２に固定された支え４と支え５が座３にかかる被補助者の体重を支える。それを断面で示したものが図３である。
ガイド６は座３の中央にある溝を通り、その両端は支え４と支え５に固定された棒状の部材である。座３はガイド６に溝を沿わせながら伸縮する。【００１４】  座３を縮めれば、座３は支え４と支え５との位置関係より、その片方の先端から下ろすことができる。その際に、ガイド６が座３の閉じた溝を通っているため、座３はガイド６に吊り下げられて収納される。
座３は、図２に示すように、被補助者の膝の向きに対して斜めの角度を持つため、縮む際に互いに干渉領域を持つこととなる。しかし座３は縮めた後に垂直に収納できるため、干渉は回避さえる。【００１５】  移動元にすわっている被補助者の膝をわずかに持ち上げ、座３を正面から被補助者に伸ばし、腿の付け根辺りの下に一つずつ滑り込ませる。それにより被補助者を座３に乗せる。【００１６】  図１に示すように、柱２は台１に対し、上下に伸縮するように取り付ける。座３に被補助者を乗せたら、電気モータ等の機械的な力により柱２を上昇させることによって被補助者を持ち上げる。【００１７】  台１には車を設け、被補助者は移動補助具の座にすわったまま移動先へ移動する。
移動補助具の座の機構の領域は概ね被補助者の腰の幅より少し広く、背中より少し後ろから正面にかけての範囲に抑えられるため、座の機構それ自体が障害物と干渉する可能性は低い。そのため図１に示すように床に広がる台１の足をベッドの下の隙間に対し十分低いものとすれば、移動先をベッドとすることができる。また台１の後ろ側の足をＵ字型にして、洋式便器が床とつながる部分の干渉を避けることにより洋式トイレを移動先とすることができる。さらに、Ｕ字の幅を車椅子の車輪に干渉しない程度に狭くして、移動先を車椅子とすることができる。【００１８】  移動先の目標に台１の位置を合わせ、柱２を降下させて被補助者を移動先にすわらせる。
座３を一つずつ縮めて、被補助者の脚から外すことにより移動は完了する。
【図面の簡単な説明】
【００１９】
【図１】被補助者が移動補助具にすわった状態の概観を示した図である。
【図２】被補助者がすわる座と被補助者との関係を上からの見下ろした図である。
【図３】座３の動きを示す、図２の断面ＡＡの図である。
【符号の説明】
【００２０】１  台
２  柱
３  座
４  支え
５  支え
６  ガイド
【図１】
2005160986.tif 000003
【図２】
2005160986.tif 000004
【図３】
2005160986.tif 000005